(57)【要約】本出願は、多数の商品とともに使用するためのモジュール式ラッキングシステムを提供する。モジュール式ラッキングシステムは、多数の支持部材および多数の棚を含むことができる。棚は、支持部材の１つに合わせたサイズのテーパの切込みを有する多数の固定部を含むことができる。【選択図】図１
2013541351.tif 000002
【特許請求の範囲】
【請求項１】
多数の商品とともに使用するためのモジュール式ラッキングシステムであって、
複数の支持部材と、
複数の棚とを含み、
前記複数の棚は、前記複数の支持部材の１つに合わせたサイズのテーパの切込みを有する複数の固定部を含む、モジュール式ラッキングシステム。
【請求項２】
前記複数の支持部材が、延長した直立管を含む、請求項１に記載のモジュール式ラッキングシステム。
【請求項３】
前記複数の支持部材が、内部に複数のスロットを含む、請求項１に記載のモジュール式ラッキングシステム。
【請求項４】
前記複数の支持部材が複数の調節可能な脚部を含む、請求項１に記載のモジュール式ラッキングシステム。
【請求項５】
前記複数の固定部が複数の前方固定部を含む、請求項１に記載のモジュール式ラッキングシステム。
【請求項６】
前記複数の固定部が複数の後方固定部を含む、請求項１に記載のモジュール式ラッキングシステム。
【請求項７】
前記複数の固定部が、前記テーパの切込みへと延びる支持ブラケットを含む、請求項１に記載のモジュール式ラッキングシステム。
【請求項８】
前記支持ブラケットが複数の歯を含む、請求項７に記載のモジュール式ラッキングシステム。
【請求項９】
前記複数の棚のそれぞれが、テーパの切込みを有する前記複数の固定部に隣接して配置された前面パネルを含む、請求項１に記載のモジュール式ラッキングシステム。
【請求項１０】
前記前面パネルがメッセージ表示を含む、請求項９に記載のモジュール式ラッキングシステム。
【請求項１１】
当該システム上に配置された１つまたは複数の広告パネルをさらに含む、請求項１に記載のモジュール式ラッキングシステム。
【請求項１２】
多数の商品とともに使用するためのモジュール式ラッキングシステムであって、
複数のスロットを内部に含む複数の支持管と、
複数の棚とを含み、
前記複数の棚は前記複数の支持管の１つに合わせたサイズのテーパの切込みを有する複数の前方固定部を含み、
前記複数の前方固定部は、前記複数のスロットの１つと噛合するように前記テーパの切込みへと延びる支持ブラケットを含む、モジュール式ラッキングシステム。
【請求項１３】
前記支持ブラケットが複数の歯を含む、請求項１２に記載のモジュール式ラッキングシステム。
【請求項１４】
前記複数の棚のそれぞれが、テーパの切込みを有する前記複数の固定部に隣接して配置された前面パネルを含む、請求項１２に記載のモジュール式ラッキングシステム。
【請求項１５】
前記前面パネルがメッセージ表示を含む、請求項１４に記載のモジュール式ラッキングシステム。
【請求項１６】
多数の商品のための商品ディスプレイシステムであって、
複数の支持部材を含む複数のモジュール式ラッキングシステムと、
前記複数の支持部材の１つに合わせたサイズのテーパの切込みを有する複数の棚と、
前記複数のモジュール式ラッキングシステムの周りに配置された複数の広告パネルと、を含む、商品ディスプレイシステム。
【請求項１７】
前記複数のモジュール式ラッキングシステムに隣接して配置された１つまたは複数の冷却器をさらに含む、請求項１６に記載の商品ディスプレイシステム。
【請求項１８】
前記複数の広告パネルがメッセージ表示を含む、請求項１６に記載の商品ディスプレイシステム。
【請求項１９】
テーパの切込みを有する前記複数の棚が、前記複数の支持ブラケットと噛合するように延びる支持ブラケットを含む、請求項１６に記載の商品ディスプレイシステム。
【請求項２０】
メッセージ表示を有する複数の前面パネル、複数の側面パネルおよび複数の脚部パネルをさらに含む、請求項１６に記載の商品ディスプレイシステム。
【発明の詳細な説明】
【技術分野】
【０００１】
[0101]  本出願は、概して、多数の商品棚を備えたモジュール式ラッキングシステムに関し、より詳細には、剛性を高めるためにテーパの切込みを有する固定部を含む多数の商品棚を備えたモジュール式ラッキングシステムに関する。
【背景技術】
【０００２】
[0102]  様々なタイプのモジュール式ラッキングシステムが知られている。例として、これらのモジュール式ラッキングシステムは一般に、支持レールが壁面または他の構造に取り付けられたモジュール式壁面バンドシステムおよび支持ブラケット上に配置された取り換え可能な棚を含むことができる。さらに、様々なタイプの自立モジュール式ラッキングシステムも知られている。これらの自立システムは一般に、棚をそれぞれ定位置に維持するある種の角部固定機構を使用する。しかし、これらの角部固定機構はやや複雑となる傾向があり、棚の構成を簡単に変更することができなくなっている。
【発明の概要】
【発明が解決しようとする課題】
【０００３】
[0103]  したがって、自立式とすることができるが一般にこのようなシステムに見られる複雑な固定機構を有さない、改善されたモジュール式ラッキングシステムが望まれている。むしろ、そのような改善されたモジュール式ラッキングシステムは、典型的な壁面バンドシステムに見られる使いやすさを一般にもたらすが、十分な支持および全体的な剛性を備えている。
【課題を解決するための手段】
【０００４】
[0104]  したがって本出願は、多数の商品とともに使用するためのモジュール式ラッキングシステムを提供する。モジュール式ラッキングシステムは、多数の支持部材および多数の棚を含むことができる。棚は、支持部材の１つに合わせたサイズのテーパの切込みを有する多数の固定部を含むことができる。
【０００５】
[0105]  支持部材は、延長した直立管から形成することができる。支持部材は、多数のスロットを含むことができる。支持部材は多数の調節可能な脚部を含むことができる。多数の固定部は、多数の前方固定部および多数の後方固定部を含むことができる。固定部は、テーパの切込みへと延びる支持ブラケットおよび多数の歯を含むことができる。それぞれの棚は、テーパの切込みを有する固定部に隣接して配置された前面パネルを含むことができる。前面パネルは、メッセージ表示を含むことができる。モジュール式ラッキングシステムはさらに、配置された１つまたは複数の広告パネルを含むことができる。
【０００６】
[0106]  本出願はさらに、多数の商品とともに使用するためのモジュール式ラッキングシステムを提供することができる。モジュール式ラッキングシステムは、スロットを有する多数の支持管および多数の棚を含むことができる。棚は、支持管の１つに合わせたサイズのテーパの切込みを有する多数の前方固定部を含むことができる。前方固定部は、スロットの１つと噛合するようにテーパの切込みへと延びる支持ブラケットを含むことができる。
【０００７】
[0107]  支持ブラケットは、スロットと噛合するサイズの多数の歯を含むことができる。それぞれの棚は、テーパの切込みを有する多数の固定部に隣接して配置された前面パネルを含むことができる。前面パネルはメッセージ表示を含むことができる。
【０００８】
[0108]  本出願は、多数の商品のための商品ディスプレイシステムを提供することができる。商品ディスプレイシステムは、多数のモジュール式ラッキングシステムおよびモジュール式ラッキングシステムの周りに配置された多数の広告パネルを含むことができる。モジュール式ラッキングシステムは、多数の支持部材および配置される多数の支持部材の１つに合わせたサイズのテーパの切込みを有する多数の棚を含むことができる。
【０００９】
[0109]  商品ディスプレイシステムはさらに、モジュール式ラッキングシステムに隣接して配置された１つまたは複数の冷却器をさらに含むことができる。広告パネルはメッセージ表示を含むことができる。テーパの切込みを有する棚は、多数の支持ブラケットと噛合するように延びる支持ブラケットを含むことができる。商品ディスプレイシステムはさらに、メッセージ表示を有する多数の前面パネル、多数の側面パネルおよび多数の脚部パネルを含むことができる。
【００１０】
[0110]  本出願のこれらおよび他の特徴および改良点は、いくつかの図面および添付の特許請求の範囲と併せて以下の詳細な説明を検討すれば、当業者には明らかとなるであろう。
【図面の簡単な説明】
【００１１】
【図１】[0111]本明細書で説明されるモジュール式ラッキングシステムの前方斜視図である。
【図２】[0112]図１のモジュール式ラッキングシステムの後方斜視図である。
【図３】[0113]図１のモジュール式ラッキングシステムの側面図である。
【図４】[0114]図１のモジュール式ラッキングシステムの正面図である。
【図５】[0115]図１のモジュール式ラッキングシステムの平面図である。
【図６】[0116]図１のモジュール式ラッキングシステムの分解図である。
【図７】[0117]図１のモジュール式ラッキングシステムで使用するための前方固定部の部分側面断面図である。
【図８】[0118]図７の前方固定部の部分側面斜視図である。
【図９】[0119]図７の前方固定部の部分平面図である。
【図１０】[0120]多数のモジュール式ラッキングシステムを使用するモジュール式商品ディスプレイシステムの分解図である。
【図１１】[0121]図１０のモジュール式商品ディスプレイシステムの正面図である。
【図１２】[0122]図１０のモジュール式商品ディスプレイシステムの側面図である。
【図１３】[0123]モジュール式商品ディスプレイシステムの一例の斜視図である。
【発明を実施するための形態】
【００１２】
[0124]  本出願は、任意の数の商品１０の販売に関する。商品１０は例示のためにのみボトルの形態で示されるが、商品１０は、ボトル、缶、袋、箱、包装物、製品および／または任意のタイプの剛性または可撓性パッケージを含む任意のタイプまたはサイズの品物またはパッケージを含むことができ、これらに限定されないことを理解されたい。商品１０は、飲料、食品、非食品、消費者製品および／または任意のタイプの商品を含むことができる。本出願の範囲は、本明細書で提供されることが意図されている商品１０の性質またはその他によって、どのようにも制限されるものではない。
【００１３】
[0125]  図面を参照すると、いくつかの図面を通して同様の番号は同様の要素を示すが、図１〜６は、本明細書で説明され得るモジュール式ラッキングシステム１００の例を示す。本明細書で説明されるモジュール式ラッキングシステム１００は、多数の支持部材１１０および多数の棚１２０を含むことができる。本明細書では任意の数の支持部材１１０および棚１２０を使用することができる。同様に、本明細書では任意のサイズ、形状または構成の支持部材１１０および棚１２０を使用することができる。
【００１４】
[0126]  この実施例では、４つの支持部材１１０の使用が示されており、支持部材１１０の１つがそれぞれの棚１２０の角部の近くにそれぞれ配置されている。本明細書では他の位置を使用することもできる。支持部材１１０は、延長した直立管１３０の形態をとることができる。本明細書では他の形状および構成を使用することもできる。延長した直立管１３０は、金属、熱可塑性材料または他のタイプの実質的に剛性の材料から形成することができる。具体的には、支持部材１１０はプラスチック透明管１３０の形態をとることができる。支持部材１１０は、その１つまたは複数の側面に沿って配置された多数のスロット１４０を含むことができる。本明細書では任意の数、サイズまたは形状のスロット１４０を使用することができる。
【００１５】
[0127]  それぞれの支持部材１１０は、一方の端部に配置された調節可能な脚部１５０を含むことができる。調節可能な脚部１５０は、支持部材１１０の高さを調整するように支持部材１１０へと延びるねじ状の部材１６０を含むことができる。本明細書では他のタイプの調整機構を使用することもできる。支持部材１１０の１つまたは複数の側面もまた、配置された１つまたは複数のねじ孔１７０を含むことができる。ねじ孔１７０は、以下でより詳細に説明するように、広告パネルなどとともに使用することができる。本明細書では支持部材１１０の他の構成を使用することもできる。
【００１６】
[0128]  棚１２０は、支持部材１１０に沿って所望の位置に配置することができる。棚１２０は、金属、熱可塑性材料または他のタイプの実質的に剛性の材料から形成することができる。本明細書では複数の棚構成を使用することができる。棚１２０は深さを有することができ、少なくとも一部を中空とすることができる。本明細書では他の形状を使用することもできる。
【００１７】
[0129]  図７〜９に示すように、各棚１２０は一対の前方固定部１８０を含むことができる。各前方固定部１８０は、サドル状の構成において支持部材１１０の１つを内部に案内し、かつ、次いで確実に嵌合することができるように形成されたテーパの切込み１９０を含むことができる。したがって、テーパの切込み１９０は所定の支持部材１１０を収容する形状およびサイズとすることができる。
【００１８】
[0130]  前方固定部１８０は、また、テーパの切込み１９０内へと延びる支持ブラケット２００を含むことができる。支持ブラケット２００は、それぞれ、多数のＬ字形の歯またはフック２１０へと延びる基部２０５を含むことができる。基部２０５の一部は棚１２０内に配置することができ、基部２０５の一部およびフック２１０はテーパの切込み１９０内へと延びることができる。フック２１０は、棚１２０を支持するように、支持部材１１０のスロット１４０内に嵌合するサイズとすることができる。図７は２つのフック２１０の使用を示しているが、本明細書では任意の数のフック２１０を使用することができる。本明細書では他のタイプおよび構成の固定機構を使用することもできる。
【００１９】
[0131]  テーパの切込み１９０を有する前方固定部１８０の使用は、また、各棚１２０の前面パネル２２０を画成する。前面パネル２２０は棚１２０の長さにわたって延びることができ、支持部材１１０にもわたって延びることができる。以下でより詳細に説明するが、任意のタイプのメッセージ表示を配置することができる。前面パネル２２０は任意のサイズまたは形状を有することができる。
【００２０】
[0132]  棚１２０はまた、後方固定部２３０を含むこともできる。後方固定部２３０はまた、基部２０５およびそこから延びるフック２１０を備えた支持ブラケット２００を含むこともできる。後方固定部２３０は、棚１２０を後方の支持部材１１０に沿って定位置に固定する。図示されていないが、後方固定部２３０はまた、所望に応じてテーパの切込み１９０を含むこともできる。本明細書では他のタイプの固定機構を使用することもできる。
【００２１】
[0133]  本明細書では前方固定部１８０および後方固定部２３０という用語を使用したが、前方および後方という用語は相対的なものである。固定部１８０、２３０は任意の方向または順序で配置することができる。
【００２２】
[0134]  使用の際は、各棚１２０を支持部材１１０の近くに配置することができる。具体的には、前方支持部材１１０は、各棚１２０の前方固定部１８０のテーパの切込み１９０内に配置することができる。支持ブラケット２００のフック２１０は、所望のスロット１４０内に配置することができる。同様に、後方固定部２３０のフック２１０および支持ブラケット２００もまた、後方支持部材１１０内に配置することができる。任意の数の棚１２０を使用することができる。同様に、各棚１２０は、支持部材１１０の特定のスロット１４０から取り外し、様々な高さおよび構成の商品１０を収容するように、異なるスロット１４０へと置き換えることができる。
【００２３】
[0135]  前方固定部１８０の周りにテーパの切込み１９０を使用することによって、各棚１２０により多くの荷重がかかるように、モジュール式ラッキングシステム１００全体の剛性を確実により高めることもできる。支持部材１１０を囲むテーパの切込み１９０によって、より多くの荷重がかかるとモジュール式ラッキングシステム１００の屈曲が最小限になる。具体的には、棚１２０に置かれている商品１０などの形態の荷重によって生じる下向きの力がかかることによって、フック２１０が支持部材１１０をサドル状の形状のテーパの切込み１９０へと引き込む。テーパの切込み１９０および前方固定システム１８０を使用することによって、本明細書では棚１２０に荷重がかかるとき、十分な剛性をもたらしながら、複雑な固定機構が必要なくなる。したがって、モジュール式ラッキングシステム１００は、モジュール式壁面バンドシステムで多く見られる使用しやすさを、自立デバイスで提供する。
【００２４】
[0136]  図１０〜１３は、本明細書で説明される商品ディスプレイシステム２５０を示す。商品ディスプレイシステム２５０は、任意の数のモジュール式ラッキングシステム１００を含むことができる。モジュール式ラッキングシステム１００は、任意の所望の構成で配置することができる。例えば、室温の商品１０を含む多数のモジュール式ラッキングシステム１００を、冷蔵温度の商品１０を含む１つまたは複数の冷却器２６０の近くに配置することができる。１つまたは複数の広告パネル２７０をそれぞれのモジュール式ラッキングシステム１００の周りおよびその他に配置することができる。それぞれの広告パネル２７０は、メッセージ表示２８０を有することができる。広告パネル２７０は、任意の所望のサイズまたは形状を有することができる。メッセージ表示２８０は、印刷広告、電気システムまたはメッセージの形態とすることができ、または本明細書では任意のタイプの媒体を使用することができる。複数のタイプの媒体を使用することもできる。音声を組み込むこともできる。
【００２５】
[0137]  商品ディスプレイシステム２５０はまた、外側モジュール式ラッキングシステム１００で使用するための多数の側面パネル２９０およびそれぞれのモジュール式ラッキングシステム１００の底部のための多数の脚部パネル３００を含むこともできる。したがって、メッセージ表示２８０は、棚１２０それぞれの広告パネル２７０、側面パネル２９０、脚部３００および／または前面パネル２２０の周りに配置することができる。本明細書では他の構成および他のタイプの広告位置を使用することもできる。
【００２６】
[0138]  したがって、商品ディスプレイシステム２５０は、中に入っている商品を複数の位置および媒体で販売促進することができる、柔軟で容易に取り換え可能および拡張可能な小売スペースを提供する。さらに、モジュール式ラッキングシステム１００の使用は、様々なサイズおよび形状の商品１０を収容することに関して柔軟性を提供する。
【００２７】
[0139]  上記の説明は本出願のある実施形態のみに関するものであり、当業者であれば、添付の特許請求の範囲によって定義された本発明およびその均等物の一般的な趣旨および範囲から逸脱することなく、本明細書に多くの変更および修正を行うことができることは明らかであろう。
【図１】
2013541351.tif 000003
【図２】
2013541351.tif 000004
【図３】
2013541351.tif 000005
【図４】
2013541351.tif 000006
【図５】
2013541351.tif 000007
【図６】
2013541351.tif 000008
【図７】
2013541351.tif 000009
【図８】
2013541351.tif 000010
【図９】
2013541351.tif 000011
【図１０】
2013541351.tif 000012
【図１１】
2013541351.tif 000013
【図１２】
2013541351.tif 000014
【図１３】
2013541351.tif 000015
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
多数の商品とともに使用するためのモジュール式ラッキングシステムであって、
複数の支持部材と、
複数の棚とを含み、
前記複数の棚は、前記複数の支持部材の１つに合わせたサイズのテーパの切込みを有する複数の固定部と、前記複数の固定部に隣接して配置された前面パネルとを含む、モジュール式ラッキングシステム。
【請求項２】
前記複数の支持部材が、延長した直立管を含む、請求項１に記載のモジュール式ラッキングシステム。
【請求項３】
前記複数の支持部材が、内部に複数のスロットを含む、請求項１に記載のモジュール式ラッキングシステム。
【請求項４】
前記複数の支持部材が複数の調節可能な脚部を含む、請求項１に記載のモジュール式ラッキングシステム。
【請求項５】
前記複数の固定部が複数の前方固定部を含む、請求項１に記載のモジュール式ラッキングシステム。
【請求項６】
前記複数の固定部が複数の後方固定部を含む、請求項１に記載のモジュール式ラッキングシステム。
【請求項７】
前記複数の固定部が、前記テーパの切込みへと延びる支持ブラケットを含む、請求項１に記載のモジュール式ラッキングシステム。
【請求項８】
前記支持ブラケットが複数の歯を含む、請求項７に記載のモジュール式ラッキングシステム。
【請求項９】
前記前面パネルがメッセージ表示を含む、請求項１に記載のモジュール式ラッキングシステム。
【請求項１０】
当該システム上に配置された１つまたは複数の広告パネルをさらに含む、請求項１に記載のモジュール式ラッキングシステム。
【請求項１１】
多数の商品とともに使用するためのモジュール式ラッキングシステムであって、
複数のスロットを内部に含む複数の支持管と、
複数の棚とを含み、
前記複数の棚は、前記複数の支持管の１つに合わせたサイズのテーパの切込みを有する複数の前方固定部および前記複数の前方固定部に隣接して配置された前面パネルを含み、
前記複数の前方固定部は、前記複数のスロットの１つと噛合するように前記テーパの切込みへと延びる支持ブラケットを含む、モジュール式ラッキングシステム。
【請求項１２】
前記支持ブラケットが複数の歯を含む、請求項１１に記載のモジュール式ラッキングシステム。
【請求項１３】
前記前面パネルがメッセージ表示を含む、請求項１１に記載のモジュール式ラッキングシステム。
【請求項１４】
多数の商品のための商品ディスプレイシステムであって、
複数の支持部材を含む複数のモジュール式ラッキングシステムと、
前記複数の支持部材の１つに合わせたサイズのテーパの切込みおよび前記複数の支持部材と噛合するように延びる支持ブラケットを有する複数の棚と、
前記複数のモジュール式ラッキングシステムの周りに配置された複数の広告パネルと、を含む、商品ディスプレイシステム。
【請求項１５】
前記複数のモジュール式ラッキングシステムに隣接して配置された１つまたは複数の冷却器をさらに含む、請求項１４に記載の商品ディスプレイシステム。
【請求項１６】
前記複数の広告パネルがメッセージ表示を含む、請求項１４に記載の商品ディスプレイシステム。
【請求項１７】
メッセージ表示を有する複数の前面パネル、複数の側面パネルおよび複数の脚部パネルをさらに含む、請求項１４に記載の商品ディスプレイシステム。
【国際調査報告】
2013541351.tif 000016